(57)【要約】【課題】日光の紫外線による劣化が生じにくく、また雑草の生育を抑制することのできる自然土質舗装体を提供する。【解決手段】湿気凝固型のプレポリマーを主体とする高分子ゲル化剤と被舗装地面２の自然土砂と水とを混練した混練材を、被舗装地面２に塗り均して固結化させてなる自然土硬化層３を有することを特徴とする。ここで、湿気凝固型のプレポリマーとして、有限会社グローバル研究所製のＨＶ−２０００（商品名）を使用することができる。これにより、施工現場の自然土砂を使用するので、施工現場周囲の自然環境にとけ込んだ舗装地面が形成される。また、自然土砂が樹脂で固められた状態となり、地面に草が根を張れないため、無草処理がなされる。【選択図】　　　図１
2004060283.tif 000002
【特許請求の範囲】
【請求項１】
湿気凝固型のプレポリマーを主体とする高分子ゲル化剤と被舗装地面の自然土砂と水とを混練した混練材を、前記被舗装地面に塗り均して固結化させてなる自然土硬化層を有することを特徴とする自然土質舗装体。
【請求項２】
前記自然土硬化層上に敷設された砕石からなる砕石層を有することを特徴とする請求項１に記載の自然土質舗装体。
【請求項３】
前記自然土硬化層の表面に紫外線遮蔽剤又は紫外線吸収剤が塗布又は散布されていることを特徴とする請求項１又は２に記載の自然土質舗装体。
【請求項４】
前記混練材に除草剤が添加されていることを特徴とする請求項１乃至３の何れか一に記載の自然土質舗装体。
【請求項５】
湿気凝固型のプレポリマーを主体とする高分子ゲル化剤と被舗装地面の自然土砂と水とをミキサーで混練して混練材を生成する混練工程と、前記混練材を前記非舗装地面に塗り均して固結化させ自然土硬化層を形成する塗抹工程とを有することを特徴とする自然土質舗装体の施工方法。
【発明の詳細な説明】
【０００１】
【発明の属する技術分野】
本発明は、自然土を高分子バインダーで固結化させた自然土質舗装体に係り、特に被舗装地面において雑草の生育を防止する自然土質舗装体に関する。
【０００２】
【従来の技術】
近年、公園や歩道等の舗装において、自然環境にとけ込んだ景観舗装が求められる場合が増えてきている。かかる景観舗装の一つとして、天然の土砂を高分子バインダーで固結化してなる自然土質舗装体が研究・開発されている。
【０００３】
従来の自然土質舗装体としては、特開平１１−１３１４１５号公報、特開平１１−３０２６４５号公報、特開平１０−１４０１５６号公報、特開平１１−２４７１１８号公報、特開２０００−３１３７３４号公報、特開平９−２９６４０６号公報、特開平１１−８１２１２号公報、特開２００１−２７０７７２号公報に記載のものが知られている。
【０００４】
【発明が解決しようとする課題】
しかしながら、上記従来の自然土質舗装体は、一般に摩耗や雨、風による流出や飛散により、不陸が発生しやすく、日常の管理として表面の均し、転圧、土壌安定剤の散布が必要であり、また同質の材料を用意しておいて定期的に補充するなどの維持が必要であった。
【０００５】
また、上記従来の自然土質舗装体は、何れも高分子バインダーを用いて自然土砂を含む骨材を固化したものであるが、一般に高分子は日光に含まれる紫外線により光化学反応を生じ、劣化を生じやすいという欠点があった。
【０００６】
更に、降雨時などにおいて流水や風などにより土砂が運ばれ、自然土質舗装体上に堆積した場合、その堆積した土砂に雑草の種子が落ちて発芽し、雑草が生育しやすいという欠点もあった。
【０００７】
そこで、本発明の目的は、日光の紫外線による劣化が生じにくく、また雑草の生育を抑制することのできる自然土質舗装技術を提供することにある。
【０００８】
【課題を解決するための手段】
要するに、本発明の自然土質舗装体の第１の構成は、湿気凝固型のプレポリマーを主体とする高分子ゲル化剤と被舗装地面の自然土砂と水とを混練した混練材を、前記被舗装地面に塗り均して固結化させてなる自然土硬化層を有することを特徴とする。
【０００９】
これにより、施工現場の自然土砂を使用するので、コンクリート舗装のように施工現場の景観に対して目立つことがなく、施工現場周囲の自然環境にとけ込んだ舗装地面が形成される。
【００１０】
また、湿気凝固型のプレポリマーを主体とする高分子ゲル化剤と被舗装地面の自然土砂と水とを混練することにより、高分子ゲル化剤と水とが反応してゲル状となり、自然土砂と混ざり合ってコンクリートモルタルと同様のスラリー状の樹脂モルタルが作られる。これを鏝等を使用して被舗装地面に塗り均すだけで施工することができるため、施工作業が容易である。
【００１１】
更に、混練材を敷きならされた地面は、その後の乾燥により固結化し、自然土砂が樹脂で固められた状態となる。これにより、地面に草が根を張れないため、無草処理がなされる。
【００１２】
また、本発明の自然土質舗装体においては、高分子ゲル化材として、有限会社グローバル研究所製のＨＶ−２０００（商品名）を使用することができる。このＨＶ−２０００は薄黄色の粘稠液で、水分に反応し固化する高分子ゲル化材であり、天日に曝すなど乾燥させることにより水分を取り除くことが可能である。また、毒性がなく人畜無害な物質であるため、環境を汚染することもない。
【００１３】
本発明の自然土質舗装体の第２の構成は、前記第１の構成において、前記自然土硬化層上に敷設された砕石からなる砕石層を有することを特徴とする。
【００１４】
これにより、砕石層が、混練材を固化させて形成した自然土硬化層を覆うため、日光が自然土硬化層に照射されず、紫外線による自然土硬化層内の高分子の劣化が生じない。従って、自然土硬化層が長期間劣化を生じない。
【００１５】
また、本発明の自然土質舗装体の第３の構成は、前記第１又は２の構成において、前記自然土硬化層の表面に紫外線遮蔽剤又は紫外線吸収剤が塗布又は散布されていることを特徴とする。
【００１６】
これにより、紫外線遮蔽剤又は紫外線吸収剤により、混練材を固化させて形成した自然土硬化層が覆われているため、自然土硬化層に照射される太陽光線中の紫外線がカットされ、紫外線による自然土硬化層内の高分子の劣化が生じない。従って、自然土硬化層が長期間劣化を生じない。
【００１７】
また、本発明の自然土質舗装体の第４の構成は、前記第１乃至３の何れか一の構成において、前記混練材に除草剤が添加されていることを特徴とする。
【００１８】
これにより、降雨時などの流水に伴い、自然土硬化層上に土砂が堆積し、その堆積した土砂上に雑草の種が落ちて発芽しても、雑草の根が自然土硬化層に達すると、除草剤により枯死し、雑草の生育が抑えられる。
【００１９】
本発明の自然土質舗装体の施工方法は、湿気凝固型のプレポリマーを主体とする高分子ゲル化剤と被舗装地面の自然土砂と水とを混練して混練材を生成する混練工程と、前記混練材を前記非舗装地面に塗り均して固結化させ自然土硬化層を形成する塗抹工程とを有することを特徴とする。
【００２０】
この構成によれば、湿気凝固型のプレポリマーを主体とする高分子ゲル化剤と被舗装地面の自然土砂と水とを混練することにより、高分子ゲル化剤と水とが反応してゲル状となり、自然土砂と混ざり合ってコンクリートモルタルと同様のスラリー状の樹脂モルタルが作られ、これを鏝等を使用して被舗装地面に塗り均すだけで施工することができるため、雑草の育成を抑えかつ周囲環境にとけ込んだ自然土質舗装体を、容易に施工することができる。
【００２１】
【発明の実施の形態】
以下、本発明の実施の形態について、図を参照しながら説明する。
【００２２】
（実施の形態１）
本発明の実施の形態１に係る自然土質舗装体は、湿気凝固型のプレポリマーを主体とする高分子ゲル化剤と被舗装地面の自然土砂と水とを混練した混練材を、被舗装地面に塗り均して固結化させてなる自然土硬化層を備えている。
【００２３】
図１は本発明の実施の形態１に係る自然土質舗装体を表す断面図である。
【００２４】
図１において、自然土質舗装体１は、被舗装地面２の上に敷設された自然土硬化層３からなる。自然土硬化層３は、被舗装地面２を整地する際に生じる自然土砂に、湿気凝固型のプレポリマーを主体とする高分子ゲル化剤と水とを加えて混練した混練材を固結化させたものである。高分子ゲル化剤としては、有限会社グローバル研究所製のＨＶ−２０００（商品名）を使用することができる。
【００２５】
図２は本発明の実施の形態１に係る自然土質舗装体の施工方法を表す図である。
【００２６】
まず、被舗装地面２の表土を削ることにより整地する。次に、被舗装地面２を削ることによって発生した自然土砂を図２（ａ）に示すようなミキサーに投入し、高分子ゲル化剤と水とを加えて混練する。次に、この混練物を鍬やシャベルにより、内部に気泡ができないようによく混ぜながら、先に整地した被舗装地面２上に敷きつめる（図２（ｂ））。最後に、被舗装地面２上に敷きつめた混練物を鏝（金箆）で表面を均した後（図２（ｃ））、自然乾燥させることにより、自然土硬化層３が完成する。
【００２７】
この高分子ゲル化剤は、水と反応することにより、高分子の架橋反応が生じゲル化する。ゲル化した高分子ゲル化材は、乾燥すると固化し、樹脂状の物質となり弾性のある結合材となる。従って、自然土砂にこの高分子ゲル化剤と水を加えて混練し、スラリー状の混練物を作り、これを被舗装地面２の上に敷設し自然乾燥させることにより、高分子ゲル化剤の固結化した樹脂がバインダーとなり自然土硬化層３が形成される。
【００２８】
このようにして形成される自然土硬化層３は、施工現場の被舗装地面２を削ることで生じた自然土砂を使用しているため、現地土と同じ色、質感となり、施工現場の環境によくとけ込む。
【００２９】
更に、現地の自然土砂を使用するため、別途に石材や砂を必要とせず、施工が容易であるとともに、資源を有効に活用することが可能となる。
【００３０】
また、自然土硬化層３は、植物が根を張るような空隙がないため、被舗装地面２に雑草が生えるのが防止される。従って、自然土質舗装体１を敷設することで、被舗装地面２を無草化処理することができる。
【００３１】
尚、防草効果を更に高めるため、自然土砂に高分子ゲル化剤と水とを加えて混練して混練物を作る際に、この混練物に除草剤を添加してもよい。これにより、更に防草効果を高めることができる。従って、例えば、降雨時などの流水に伴い、自然土硬化層上に土砂が堆積し、その堆積した土砂上に雑草の種が落ちて発芽しても、雑草の根が自然土硬化層に達すると、除草剤により枯死し、雑草の生育が抑えられる。
【００３２】
尚、本実施の形態の自然土質舗装体は、水辺や路肩のような、雑草が茂ってほしくないような場所に適用される。
【００３３】
図３は実施の形態１に係る自然土質舗装体を使用した路肩の要部断面図である。
【００３４】
図３において、自然土質舗装体１、被舗装地面２、自然土硬化層３は、図１と同様であり、同符号を付して説明は省略する。
【００３５】
道路４は路床２’上に下層路盤４ａ、上層路盤４ｂ、及びアスファルトからなる表層４ｃの順に積層された層状の舗装構造を有している。路肩５の被舗装地面２上には、クラッシャーラン７が敷設され、その上に自然土硬化層３が敷設されている。
【００３６】
このような構成により、路肩に雑草が茂るのが防止され、路肩の除草作業が不要となる。
【００３７】
（実施の形態２）
本発明の実施の形態２に係る自然土質舗装体は、湿気凝固型のプレポリマーを主体とする高分子ゲル化剤と被舗装地面の自然土砂と水とを混練した混練材を、被舗装地面に塗り均して固結化させてなる自然土硬化層と、前記自然土硬化層上に敷設された砕石からなる砕石層とを備えている。高分子ゲル化剤としては、有限会社グローバル研究所製のＨＶ−２０００（商品名）を使用することができる。
【００３８】
図４は本発明の実施の形態２に係る自然土質舗装体を表す断面図である。
【００３９】
図４において、被舗装地面２及び自然土硬化層３は、図１と同様のものである。本実施の形態の自然土質舗装体１０は、自然土硬化層３の上面に、多数の砕石からなる砕石層１１が敷設された構造を有する。
【００４０】
自然土硬化層３は、高分子ゲル化材が固結化した樹脂をバインダーとして固結化された自然土砂で構成されているが、この高分子からなる樹脂は、日光の紫外線により光化学反応を生じて黄色く変色し劣化する。そこで、自然土硬化層３の上に砕石層１１を敷きつめることにより、かかる自然土硬化層３の紫外線による劣化を防止することができるため、自然土質舗装体１０は長期間にわたり、劣化することなく防草効果を維持することが可能となる。
【００４１】
（実施の形態３）
本発明の実施の形態３に係る自然土質舗装体は、湿気凝固型のプレポリマーを主体とする高分子ゲル化剤と被舗装地面の自然土砂と水とを混練した混練材を、被舗装地面に塗り均して固結化させてなる自然土硬化層を備え、前記自然土硬化層の表面には、紫外線遮蔽剤又は紫外線吸収剤が塗布されている。高分子ゲル化剤としては、有限会社グローバル研究所製のＨＶ−２０００（商品名）を使用することができる。
【００４２】
図５は本発明の実施の形態３に係る自然土質舗装体を表す断面図である。
【００４３】
図５において、被舗装地面２及び自然土硬化層３は、図１と同様のものである。本実施の形態の自然土質舗装体２０は、自然土硬化層３の上面に、紫外線遮蔽剤又は紫外線吸収剤を塗布した紫外線遮断層２１を有する。
【００４４】
これにより、自然土硬化層３の紫外線による劣化を防止することができるため、自然土質舗装体２０は長期間にわたり、劣化することなく防草効果を維持することが可能となる。
【００４５】
【発明の効果】
以上のように、本発明の自然土質舗装体は、湿気凝固型のプレポリマーを主体とする高分子ゲル化剤と被舗装地面の自然土砂と水とを混練した混練材を、前記被舗装地面に塗り均して固結化させてなる自然土硬化層を有することにより、施工現場周囲の自然環境にとけ込んだ自然土質舗装体を提供することができ、また、地面に草が根を張れないため、雑草の生育を抑制することのできる自然土質舗装体を提供することができる。更に、施工にあたり石材や砂等の骨材が不要であるため、施工費用が安く施工が容易であるとともに、資源を有効に活用することが可能な自然土質舗装体を提供することができる。
【００４６】
また、前記自然土硬化層上に敷設された砕石からなる砕石層を有することにより、長期間にわたり、劣化することなく防草効果を維持することが可能な自然土質舗装体を提供することができる。
【００４７】
また、前記自然土硬化層の表面に紫外線遮蔽剤又は紫外線吸収剤が塗布又は散布されていることにより、長期間にわたり、劣化することなく防草効果を維持することが可能な自然土質舗装体を提供することができる。
【００４８】
また、前記混練材に除草剤が添加されていることにより、更に防草効果が高い自然土質舗装体を提供することができる。
【００４９】
本発明の自然土質舗装体の施工方法は、湿気凝固型のプレポリマーを主体とする高分子ゲル化剤と被舗装地面の自然土砂と水とをミキサーで混練して混練材を生成する混練工程と、前記混練材を前記非舗装地面に塗り均して固結化させ自然土硬化層を形成する塗抹工程とを有することにより、施工が容易な自然土質舗装体の施工方法を提供することができる。
【図面の簡単な説明】
【図１】本発明の実施の形態１に係る自然土質舗装体を表す断面図である。
【図２】本発明の実施の形態１に係る自然土質舗装体の施工方法を表す図である。
【図３】実施の形態１に係る自然土質舗装体を使用した路肩の要部断面図である。
【図４】本発明の実施の形態２に係る自然土質舗装体を表す断面図である。
【図５】本発明の実施の形態３に係る自然土質舗装体を表す断面図である。
【符号の説明】
１　自然土質舗装体
２　被舗装地面
２’　路床
３　自然土硬化層
４　道路
４ａ　下層路盤
４ｂ　上層路盤
４ｃ　表層
５　路肩
７　クラッシャーラン
８　ガードレール
１０　自然土質舗装体
１１　砕石層
２０　自然土質舗装体
２１　紫外線遮断層
【図１】
2004060283.tif 000003
【図２】
2004060283.tif 000004
【図３】
2004060283.tif 000005
【図４】
2004060283.tif 000006
【図５】
2004060283.tif 000007